(57)【要約】【課題】  偏重心が存在する光ディスクにおいても、また回転によって光ディスクが膨張しても、ＢＣＡコードを所定の位置に記録することが出来る、光ディスクへのＢＣＡコード書き込み方法および光ディスクへのＢＣＡコード記録装置を提供する。【解決手段】  ＢＣＡコードを記録する際に前もって回転速度をＢＣＡ記録回転速度まで落とし、ＢＣＡコードの記録が完全に終了してから回転速度を上げることにより偏重心が存在する光ディスクにおいても偏芯によるＢＣＡコード記録位置のずれを回避し、回転による光ディスク膨張分だけ径方向外側向きにＢＣＡコード記録位置を補正することにより、光ディスクを静止したときに所定の位置にＢＣＡコードが位置させる。【選択図】図４
2007220169.tif 000002
【特許請求の範囲】
【請求項１】
光ディスクにレーザー光線を照射することにより前記光ディスクの記録膜を初期化し、ＢＣＡコードを記録する光ディスク初期化装置であって、
光ディスクにレーザー光線を照射して初期化およびＢＣＡコードの記録を行うレーザーヘッドを有するレーザー記録手段と、前記レーザーヘッドを径方向に移動させるレーザーヘッド移動手段と、光ディスクの回転速度を制御する回転制御手段と、前記レーザーヘッドの径方向の位置を検出する位置検出手段とを備え、
前記レーザーヘッド移動手段が前記レーザーヘッドを径方向に移動させ、前記位置検出手段が、前記レーザーヘッドが光ディスクの回転速度をＢＣＡコードを記録できうる回転速度に調整する光ディスク上の予め定められた位置にあることを検知し、前記回転制御手段が光ディスクの回転速度をＢＣＡコードを記録できうる回転速度と同じ回転速度に調整し、次いで前記レーザー記録手段が光ディスクを初期化し、
前記位置検出手段が、前記レーザーヘッドがＢＣＡコードを記録する予め定められた位置にあることを検知し、前記レーザー記録手段がＢＣＡコードを光ディスクに記録し、
前記位置検出手段が、前記レーザーヘッドが光ディスクの回転速度を上げる予め定められた位置に達したことを検知するまで、前記回転制御手段が光ディスクの回転速度をＢＣＡコードを記録できうる回転速度に維持することを特徴とする前記レーザー記録手段が光ディスクを初期化する光ディスク初期化装置。
【請求項２】
光ディスクにレーザー光線を照射することにより前記光ディスクの記録膜を初期化し、ＢＣＡコードを記録する請求項１に記載の光ディスク初期化装置であって、
光ディスクの回転速度を検出するセンサと、前記回転速度から光ディスクの径方向への膨張量を求め、前記レーザーヘッド移動手段を制御することにより前記レーザーヘッドの径方向における位置を制御する半径方向位置制御手段とを備え、
前記センサが光ディスクの回転速度を検出したとき、前記半径方向位置制御手段が、前記回転速度から光ディスクの径方向への膨張量を求め、前記レーザーヘッド移動手段に前記膨張量だけ外周方向に前記レーザーヘッドを移動させ、前記レーザー記録手段がＢＣＡコードを記録することを特徴とする光ディスク初期化装置。
【請求項３】
光ディスクにレーザー光線を照射して前記光ディスクの記録膜の初期化およびＢＣＡコードの記録を行うレーザーヘッドを有するレーザー記録手段と、前記レーザーヘッドを径方向に移動させるレーザーヘッド移動手段と、光ディスクの回転速度を制御する回転制御手段と、前記レーザーヘッドの径方向の位置を検出する位置検出手段とを備え、光ディスクにレーザー光線を照射することにより前記光ディスクの記録膜を初期化し、ＢＣＡコードを記録する光ディスク初期化装置における初期化ディスクの製造方法であって、
前記レーザーヘッド移動手段が前記レーザーヘッドを径方向に移動させ、前記位置検出手段が、前記レーザーヘッドが光ディスクの回転速度をＢＣＡコードを記録できうる回転速度に調整する光ディスク上の予め定められた位置にあることを検知し、前記回転制御手段が光ディスクの回転速度をＢＣＡコードを記録できうる回転速度と同じ回転速度に調整し、次いで前記レーザー記録手段が光ディスクを初期化し、
前記位置検出手段が、前記レーザーヘッドがＢＣＡコードを記録する予め定められた位置にあることを検知し、前記レーザー記録手段がＢＣＡコードを光ディスクに記録し、
前記位置検出手段が、前記レーザーヘッドが光ディスクの回転速度を上げる予め定められた位置に達したことを検知するまで、回転制御手段が光ディスクの回転速度をＢＣＡコードを記録できうる回転速度に維持することを特徴とする前記レーザー記録手段が光ディスクを初期化する光ディスク初期化装置における初期化ディスクの製造方法。
【請求項４】
光ディスクの回転速度を検出するセンサと、前記回転速度から光ディスクの径方向への膨張量を求め、前記レーザーヘッド移動手段を制御することにより前記レーザーヘッドの径方向における位置を制御する半径方向位置制御手段とを備え、光ディスクにレーザー光線を照射することにより前記光ディスクの記録膜を初期化し、ＢＣＡコードを記録する請求項３に記載の光ディスク初期化装置における初期化ディスクの製造方法であって、
前記センサが光ディスクの回転速度を検出したとき、前記半径方向位置制御手段が、前記回転速度から光ディスクの径方向への膨張量を求めて外周方向への移動量に設定し、前記レーザーヘッド移動手段に前記移動量だけ外周方向に前記レーザーヘッドを移動させ、前記レーザー記録手段がＢＣＡコードを記録することを特徴とする光ディスク初期化装置における初期化ディスクの製造方法。
【発明の詳細な説明】
【技術分野】
【０００１】
本発明は、媒体を識別するためのコードであるＢＣＡ（Ｂｕｒｓｔ  Ｃｕｔｔｉｎｇ  Ａｒｅａ，以下ＢＣＡ）コードを光ディスクに記録する機能を備える光ディスク初期化装置及び初期化ディスクの製造方法に係り、特に光ディスクの回転速度を変化させても、また回転によって光ディスクが径方向に膨張してもＢＣＡコードを適正な位置に記録する、光ディスク初期化装置及び初期化ディスクの製造方法に関する。
【背景技術】
【０００２】
近年、光ディスクの容量が増大する一方、記録媒体の不正コピーが行われ、セキュリティ対策を行う必要が出てきている。セキュリティ対策の一つの技術として、光ディスク毎に固有な媒体の識別情報を記録する技術があり、その一例として光ディスクの最内周近傍のＢＣＡ領域にバーコードを記録する方法が挙げられる。このＢＣＡ領域に記録されるバーコードはＢＣＡコードと呼ばれる。
図１は光ディスクを上面から見た図である。最内周に初期化領域１０と、その外周にＢＣＡコード１１を記録するＢＣＡ領域と、該ＢＣＡ領域の外周に初期化領域１０とが設けられている。
【０００３】
また、光ディスクの製造には初期化が必要なことがある。例えば相変化光ディスクは、透明な基板に反射層を形成し、その上に記録膜を蒸着し、更にその上に保護層を形成することによって製造される。しかし、製造された直後の相変化光ディスクの記録膜は反射率が所望の高さに達していない。このため、相変化光ディスク全面にレーザー光線を照射することにより、記録膜を非結晶状態から結晶状態に変化させ、反射率を所望の高さに変える操作を行う必要がある。この操作は初期化と呼ばれる。
【０００４】
従来は、ＢＣＡコードの記録と初期化とでは用いられるレーザー光線の出力が異なるため、それぞれ別の装置によってＢＣＡコードの記録と初期化とが行われており、時間と工数がかかっていた。
そこで、特許文献１に記載されているような、初期化とＢＣＡコードの記録とを１台の装置によって行う技術が開発された。
【特許文献１】特開２００１−７６３４５号公報
【発明の開示】
【発明が解決しようとする課題】
【０００５】
特許文献１に記載されているようなＢＣＡコードの記録と初期化を行う従来の装置においては、光ディスクをスピンドルモータに連結している光ディスク固定部材に載置し、先ず最内周を初期化し、次に前記最内周の外側に位置するＢＣＡ領域にＢＣＡコードを記録し、最後にＢＣＡ領域の外周の領域を初期化する。
【０００６】
図３を用いて従来の光ディスク初期化装置の動作を詳細に説明する。図３（Ａ）は初期化動作と光ディスクの回転速度の関係を示した表である。従来の光ディスク初期化装置は、工程１において光ディスクを高速回転させて最内周からＢＣＡ領域内周端までを初期化し、工程２において光ディスクを低速回転させてＢＣＡコードを記録し、工程３においてＢＣＡ外周端から光ディスク最外周までを初期化する。
【０００７】
図３（Ｂ）は光ディスク中心から半径方向の距離と光ディスクの回転速度の関係を表した図である。光ディスクの回転速度を内周から外周に向かって低くなるように制御する。このことにより初期化およびＢＣＡコードの記録においてレーザーヘッド２３から照射される単位面積あたりのレーザー照射時間は光ディスクのどの部分においても一定となる。図示された例では光ディスクの最内周を初期化する場合は１２７４０ＲＰＭであり、光ディスクの最外周を初期化する場合は４５００ＲＰＭである。符号３１の部分は図３（Ａ）の工程１に相当し、図３（Ａ）の工程２を行う場合は符号３２に示したように急激に回転速度を低下させる。光ディスクの回転速度は４０００ＲＰＭ付近まで低下する。図３（Ａ）の工程３においては符号３３に示したように急激に回転速度を上げ、外周方向にレーザーヘッド２３が移動するに従い回転速度を徐々に低下させてゆく。
【０００８】
特許文献１に記載されている前記装置においては、光ディスクが高速回転する場合、光ディスクに偏重心が存在すると光ディスクはクランプ力を振り切り、径方向の滑りを生じて光ディスク位置が偏芯し、回転速度を急激に落としてその直後にＢＣＡコードを記録すると所定の位置に記録することができなくなるという不具合があった。
光ディスクの偏芯とは、光ディスクに偏重心が存在するとき、この光ディスクを高速回転させた場合偏重心の方向に強い遠心力が生じるため、光ディスクが偏重心の方向に滑り、光ディスクの回転の中心が前記滑りの反対方向に移動することを意味する。
【０００９】
図５は偏重心が存在する光ディスクを高速回転した場合のＢＣＡの偏芯を表した図である。符号５１はＢＣＡコードを記録する位置を示している。光ディスクが回転する場合、光ディスクに符号５３の方向に偏重心が存在すると、偏重心の方向に光ディスクが滑って光ディスクの中心は符号５２から符号５４の位置に移動し、ＢＣＡコードは誤差５５を生じるという不具合があった。誤差５５は０μｍから５０μｍ以上生じる。
【００１０】
偏重心が存在するとは、光ディスクの重心点が任意の回転装置で該光ディスクを回転されるときの回転中心以外の点にあることをいう。
偏重心の方向とは、光ディスクに偏重心が存在する場合に、前記の光ディスクの回転中心を起点とし、該光ディスクの重心を通る半直線において、該光ディスクの回転の中心から該光ディスクの重心に向かう方向をいう。
【００１１】
また、光ディスクはＢＣＡコードを書き込む際の低速回転においても遠心力によって径方向に膨張する。膨張率は回転速度の２乗に比例して大きくなる。従って、異なる回転速度によってＢＣＡコードを記録すると、膨張率の差によって光ディスクを静止した場合にＢＣＡコードの位置に誤差を生じるという不具合があった。図６は光ディスクを回転させた場合の光ディスクの膨張によるＢＣＡの径寸法の誤差を表した図である。図６（Ａ）は低速回転している状態において、また図６（Ｂ）は高速回転している状態において、ＢＣＡコードを記録した場合を示している。光ディスクが回転し、膨張している場合にＢＣＡコードを符号６１の位置に記録すると、低速回転でＢＣＡコードを記録した場合は静止時には符号６２の位置にＢＣＡコードが位置し、高速回転でＢＣＡコードを記録した場合は静止時には符号６３の位置にＢＣＡコードが位置し、径方向に符号６５と符号６６の差の分だけ誤差が生じる。この誤差は０μｍから約２０μｍ生じる。このように回転速度に応じてＢＣＡコードの記録位置がずれ、ＢＣＡコードを所定の位置に記録することができないという不具合があった。
【００１２】
本願発明は、上記のような不具合を鑑み、偏重心が存在する光ディスクにおいても、また回転によって光ディスクが膨張しても、ＢＣＡコードを所定の位置に記録することが出来る、光ディスク初期化装置及び初期化ディスクの製造方法を提供することを目的とする。
【課題を解決するための手段】
【００１３】
前記目的を達成するために請求項１記載の発明は、光ディスクにレーザー光線を照射することにより前記光ディスクの記録膜を初期化し、ＢＣＡコードを記録する光ディスク初期化装置であって、
光ディスクにレーザー光線を照射して初期化およびＢＣＡコードの記録を行うレーザーヘッドを有するレーザー記録手段と、前記レーザーヘッドを径方向に移動させるレーザーヘッド移動手段と、光ディスクの回転速度を制御する回転制御手段と、前記レーザーヘッドの径方向の位置を検出する位置検出手段とを備え、
前記レーザーヘッド移動手段が前記レーザーヘッドを径方向に移動させ、前記位置検出手段が、前記レーザーヘッドが光ディスクの回転速度をＢＣＡコードを記録できうる回転速度に調整する光ディスク上の予め定められた位置にあることを検知し、前記回転制御手段が光ディスクの回転速度をＢＣＡコードを記録できうる回転速度と同じ回転速度に調整し、次いで前記レーザー記録手段が光ディスクを初期化し、
前記位置検出手段が、前記レーザーヘッドがＢＣＡコードを記録する予め定められた位置にあることを検知し、前記レーザー記録手段がＢＣＡコードを光ディスクに記録し、
前記位置検出手段が、前記レーザーヘッドが光ディスクの回転速度を上げる予め定められた位置に達したことを検知するまで、前記回転制御手段が光ディスクの回転速度をＢＣＡコードを記録できうる回転速度に維持することを特徴とする。
【００１４】
また、請求項２記載の発明は、光ディスクにレーザー光線を照射することにより前記光ディスクの記録膜を初期化し、ＢＣＡコードを記録する請求項１に記載の光ディスク初期化装置であって、
光ディスクの回転速度を検出するセンサと、前記回転速度から光ディスクの径方向への膨張量を求め、前記レーザーヘッド移動手段を制御することにより前記レーザーヘッドの径方向における位置を制御する半径方向位置制御手段とを備え、
前記センサが光ディスクの回転速度を検出したとき、前記半径方向位置制御手段が、前記回転速度から光ディスクの径方向への膨張量を求め、前記レーザーヘッド移動手段に前記膨張量だけ外周方向に前記レーザーヘッドを移動させ、前記レーザー記録手段がＢＣＡコードを記録することを特徴とする。
【００１５】
また、請求項３記載の発明は、光ディスクにレーザー光線を照射して前記光ディスクの記録膜の初期化およびＢＣＡコードの記録を行うレーザーヘッドを有するレーザー記録手段と、前記レーザーヘッドを径方向に移動させるレーザーヘッド移動手段と、光ディスクの回転速度を制御する回転制御手段と、前記レーザーヘッドの径方向の位置を検出する位置検出手段とを備え、光ディスクにレーザー光線を照射することにより前記光ディスクの記録膜を初期化し、ＢＣＡコードを記録する光ディスク初期化装置における初期化ディスクの製造方法であって、
前記レーザーヘッド移動手段が前記レーザーヘッドを径方向に移動させ、前記位置検出手段が、前記レーザーヘッドが光ディスクの回転速度をＢＣＡコードを記録できうる回転速度に調整する光ディスク上の予め定められた位置にあることを検知し、前記回転制御手段が光ディスクの回転速度をＢＣＡコードを記録できうる回転速度と同じ回転速度に調整し、次いで前記レーザー記録手段が光ディスクを初期化し、
前記位置検出手段が、前記レーザーヘッドがＢＣＡコードを記録する予め定められた位置にあることを検知し、前記レーザー記録手段がＢＣＡコードを光ディスクに記録し、
前記位置検出手段が、前記レーザーヘッドが光ディスクの回転速度を上げる予め定められた位置に達したことを検知するまで、回転制御手段が光ディスクの回転速度をＢＣＡコードを記録できうる回転速度に維持することを特徴とする前記レーザー記録手段が光ディスクを初期化することを特徴とする。
【００１６】
また、請求項４記載の発明は、光ディスクの回転速度を検出するセンサと、前記回転速度から光ディスクの径方向への膨張量を求め、前記レーザーヘッド移動手段を制御することにより前記レーザーヘッドの径方向における位置を制御する半径方向位置制御手段とを備え、光ディスクにレーザー光線を照射することにより前記光ディスクの記録膜を初期化し、ＢＣＡコードを記録する請求項３に記載の光ディスク初期化装置における初期化ディスクの製造方法であって、
前記センサが光ディスクの回転速度を検出したとき、前記半径方向位置制御手段が、前記回転速度から光ディスクの径方向への膨張量を求めて外周方向への移動量に設定し、前記レーザーヘッド移動手段に前記移動量だけ外周方向に前記レーザーヘッドを移動させ、前記レーザー記録手段がＢＣＡコードを記録することを特徴とする。
【発明の効果】
【００１７】
本発明の、光ディスクへの光ディスク初期化装置及び初期化ディスクの製造方法によれば、ＢＣＡコードを記録する際に前もって回転速度をＢＣＡコード記録に適した回転速度に調整し、ＢＣＡ領域の内周端及び外周端の初期化とＢＣＡコードの記録が終了してから光ディスクの回転速度を上げて残部を初期化することにより、光ディスクの偏芯が生じる前にＢＣＡコードを記録するためにＢＣＡコードを正規の位置に記録することが出来る。また、光ディスク膨張量だけレーザーヘッド２３を径方向外側にずらしてＢＣＡコードを記録するため、光ディスクが静止した場合、ＢＣＡコードを記録する正規の位置である符号７６にＢＣＡコードを記録することが出来る。
【発明を実施するための最良の形態】
【００１８】
以下、本発明による光ディスク初期化装置及び初期化ディスクの製造方法の実施形態を、添付図面を参照して説明する。
<図の説明>
図１は、光ディスクに置ける初期化領域とＢＣＡコードを表した図である。
図２は、本発明の実施形態によるＢＣＡコード記録装置の構成を表した図である。
図３は、従来例におけるＢＣＡコード記録方法を表した図である。
図４は、本発明の実施形態によるＢＣＡコード記録方法を表した図である。
図５は、偏重心が存在する光ディスクを高速回転した場合のＢＣＡの偏芯を表した図である。
図６は、光ディスクを回転させた場合の光ディスクの膨張によるＢＣＡの径寸法の誤差を表した図である。
図７は、光ディスクに対するレーザーヘッドの位置関係を従来技術と本実施形態とを対比させた図である。
【００１９】
<構成の説明>
本実施形態による初期化ディスクの製造方法が実施される光ディスク初期化装置は、図２に示す如く、光ディスクにレーザー光線を照射して初期化およびＢＣＡコードの記録を行うレーザーヘッド２０３を有するレーザー記録手段と、前記レーザーヘッド２０３を径方向に移動させるレーザーヘッド移動手段２０４と、レーザーヘッド２０３の位置を特定するためのスケール２０１と、レーザーヘッド２０３の位置を検出する位置検出手段２０２と、初期化する光ディスク２０５を載置し、固定する光ディスク固定部材２０６と、光ディスク固定部材２０６を回転させるスピンドルモータ２０７と、光ディスクの回転速度を検出するセンサ２０８と、レーザーヘッド２０３を径方向に移動させる径方向駆動モータ２０９と、光ディスク初期化装置を制御する制御部２２１とを備える。
レーザー記録手段は少なくともレーザーヘッドを有するレーザー光線照射装置であり、レーザー光線の強度および焦点を調節する機能を備えていてもよい。
センサ２０８は例えばロータリーエンコーダなどを使用できるが、他の手段であってもよい。
【００２０】
回転速度とは時間当たりの回転数を意味する。
ＢＣＡ領域の内周端とは、光ディスクにおいてＢＣＡ領域の径方向中心側に所定の幅を有する領域を指す。前記内周端の幅は高速回転により生じるディスクの径方向の偏芯量及びディスクの径方向の膨張量よりも大きい。
ＢＣＡ領域の外周端とは、光ディスクにおいてＢＣＡ領域の径方向外側に所定の幅を有する領域を指す。前記外周端の幅は高速回転により生じるディスクの径方向の偏芯量及びディスクの径方向の膨張量よりも大きい。
【００２１】
制御部２２１は、レーザーヘッド２０３から照射されるレーザーの出力を制御するレーザー出力制御手段２２２と、前記位置検出手段２０２が検出したレーザーヘッド２０３の位置情報を受信する半径方向位置検出手段２２４と、前記半径方向位置検出手段２２４から受信したレーザーヘッド２０３の位置情報に基づいてレーザーヘッド移動手段２０４を制御する半径方向位置制御手段２２３と、光ディスクの回転速度を検出するセンサ２０８からの情報に基づいてスピンドルモータ２０７の回転速度を制御することにより光ディスクの回転速度を制御する回転制御手段２２５とを備える。
【００２２】
<実施形態１>
図２及び図４を用いて、本実施形態による光ディスク初期化装置及び初期化ディスクの製造方法における回転速度の制御による光ディスクの偏芯の回避方法について説明する。
先ず図２を用いて本実施形態の装置について説明する。
初期化およびＢＣＡコードの記録を行う光ディスク２０５を光ディスク固定部材２０６に載置し、固定する。回転制御手段２２５はスピンドルモータ２０７を所定の回転速度にて回転させる。光ディスク２０５の回転速度はスピンドルモータ２０７の回転速度を計測することにより測定できる。スピンドルモータの回転速度は、センサ２０８によって計測され、回転制御手段２２５に回転速度のデータが送信される。所定の回転速度に達すると、半径方向位置制御手段２２３はレーザーヘッド移動手段２０４によってレーザーヘッド２０３を光ディスクの記録膜を初期化する最内周に移動させる。レーザーヘッドの位置は位置検出手段２０２が固定されたスケール２０１を読み込むことにより検出する。半径方向位置制御手段２２３は位置検出手段２０２によって位置を計測しながら、レーザーヘッド２０３をレーザーヘッド移動手段２０４が径方向駆動モータ２０９を駆動させて外周方向に移動させる。回転制御手段２２５は位置検出手段２０２が検出した位置情報を半径方向位置検出手段２２４から受け取り、レーザーヘッド２０３の位置に応じて回転速度を上下させ、レーザー記録手段が初期化またはＢＣＡコードの記録を行う。位置検出手段２０２が光ディスクの初期化する最外周にレーザーヘッド２０３が位置したことを検出すると光ディスクの記録膜の初期化動作を終了する。
【００２３】
次に図４を用いて、本実施例の光ディスク初期化およびＢＣＡコード記録工程を説明する。
図４（Ａ）は光ディスクの初期化およびＢＣＡコード記録動作の工程を表した図である。工程１において、ＢＣＡコードを記録できうる低速回転にて光ディスクを回転させ、光ディスクのＢＣＡ領域の内周端の記録膜をレーザー記録手段が初期化する。次に、工程２において、ＢＣＡコードを記録できうる低速回転にて光ディスクを回転させ、ＢＣＡコードを記録する。次に、工程３において、ＢＣＡコードを記録できうる低速回転にて光ディスクを回転させ、光ディスクのＢＣＡ領域の外周端の記録膜をレーザー記録手段が初期化する。次に、工程４において、光ディスクを高速回転させ、最内周からＢＣＡ領域の内周端までをレーザー記録手段が光ディスクの記録膜の初期化を行う。次に、工程５において、光ディスクを高速回転させ、ＢＣＡ領域領域外周端から光ディスクの最外周までをレーザー記録手段が光ディスクの記録膜の初期化を行う。
なお、工程４と工程５の順序は逆でも良いし、ディスクの中心から外側に向かって初期化しても良いし、外側からディスクの中心に向かって初期化しても良い。
【００２４】
工程１および工程３においては、光ディスクが低速回転することによりレーザーヘッド２０３から照射される単位面積あたりのレーザー照射時間が長くなるため、レーザーの強度を弱めるように制御してもよい。
【００２５】
図４（Ｂ）は光ディスク中心から半径方向の距離と光ディスクの回転速度の関係を表した図である。光ディスク回転速度を内周から外周に向かって低くなるように制御する。図示された例では光ディスクの最内周を初期化する場合は１２７４０ＲＰＭであり、光ディスクの最外周を初期化する場合は４５００ＲＰＭである。
レーザーヘッド移動手段２０４がレーザーヘッド２０３を径方向に移動させ、前記レーザーヘッドが光ディスクの回転速度をＢＣＡコードを記録できうる回転速度に調整する光ディスク上の予め定められた位置、すなわち符号４２にあることを検知し、回転制御手段２２５が光ディスクの回転速度をＢＣＡコードを記録できうる回転速度と同じ回転速度、例えば４０００ＲＰＭ付近に調整する。そして、所定の回転速度に達した後にその低速回転にて図４（Ａ）の工程１であるＢＣＡ領域内周端を、ＢＣＡコードを記録する予め定められた符号４３の位置までレーザー記録手段が光ディスクの記録膜を初期化する。次いで、レーザーヘッド移動手段２０４がレーザーヘッド２０３を径方向にさらに移動させる。位置検出手段２０２が、レーザーヘッド２０３がＢＣＡコードを記録する予め定められた位置である符号４３から符号４４にあることを検知し、ＢＣＡコードを記録できうる低速回転により図４（Ａ）の工程２であるＢＣＡコードの記録をレーザー記録手段が行う。続いて、レーザーヘッド移動手段２０４がレーザーヘッド２０３を径方向にさらに移動させる。位置検出手段２０２が、レーザーヘッド２０３が予め定められた位置であるＢＣＡコードの記録を終了する位置である符号４４からＢＣＡ領域外周端の最外周の位置である符号４５に位置すると検知し、ＢＣＡコードを記録できうる低速回転を維持しながら図４（Ａ）の工程３である光ディスクの記録膜の初期化をレーザー記録手段が行う。
【００２６】
符号４１の部分は図４（Ａ）の工程４に、符号４６の部分は図４（Ａ）の工程５に相当する。この部分は光ディスクを高速回転させ光ディスクの記録膜の初期化をレーザー記録手段が行う。工程４と工程５の順序は逆になっても良い。
【００２７】
本実施形態では、光ディスクの内径から外径に向かって光ディスクの記録膜の初期化とＢＣＡコード記録の各処理を行っているが、光ディスクの外径から内径に向かって各処理を行うように構成しても良い。
また、位置検出手段２０２が、光ディスクの回転速度を変化させるレーザーヘッド２０３の位置を検知するタイミングは、光ディスクの回転速度を変化させる前でも、変化させている最中でも、変化させた後でも良い。
【００２８】
以上のように、まず低速回転にてＢＣＡコードの記録とＢＣＡ領域の内周端と外周端の初期化を行い、ついで高速回転にて残部を初期化することにより、ディスクが偏芯又は膨張していない状態にてＢＣＡコードの記録を行うことができるため、ＢＣＡコードを所望の位置に記録することができるばかりでなく、ＢＣＡ領域の内周端と外周端を予め初期化するため、高速回転にて残部を初期化するときにディスクの偏芯または膨張によってＢＣＡコードの一部を誤って上書きして初期化してしまうことがなく、初期化をしていない領域が残ることもない。
【００２９】
<実施形態２>
本実施形態では、実施例１に加えレーザーヘッドの位置補正による光ディスクの膨張への対応を行う光ディスク初期化装置及び初期化ディスクの製造方法について説明する。
本実施形態の構成および光ディスク初期化装置及び初期化ディスクの製造方法における回転速度の制御による光ディスクの偏芯の回避方法は実施例１と同様である。
【００３０】
図７を用いて、本実施形態による光ディスク初期化装置及び初期化ディスクの製造方法におけるレーザーヘッドの位置補正による光ディスクの膨張への対応について説明する。
図７（Ａ）は従来のＢＣＡ記録装置を横から見た模式図である。符号２０３はレーザーヘッドであり、符号７２は回転している光ディスクであり、符号７３は静止した状態の光ディスクある。符号７２のように、光ディスクは径方向外側向きに膨張する。ＢＣＡコードを符号７７の位置において記録すると、光ディスク静止時にはＢＣＡコードが符号７４のように光ディスクの中心方向にずれてしまう。
【００３１】
膨張量とは、静止した状態における光ディスク上のある１点の光ディスクの回転の中心からの距離が、該光ディスクの回転によって径方向外側向きに長くなったときの前記ある１点の光ディスクの回転の中心からの距離の増加量を言う。
本実施形態においては、前記ある１点は光ディスク上のＢＣＡコードを記録する領域内の任意の１点を意味する。
【００３２】
図７（Ｂ）は本実施形態のＢＣＡ記録装置を横から見た模式図である。本実施形態では、ＢＣＡコード記録時に光ディスクの回転速度をセンサ２０８によって計測し、その計測結果から半径方向位置制御手段２２３が光ディスク膨張量７５を計算し、該膨張量だけレーザーヘッド２０３を径方向外側にずらしてＢＣＡコードをレーザー記録手段が記録する。
【００３３】
膨張量７５は光ディスクの回転速度の２乗に比例して大きくなるため、膨張量を計算により求めることが出来る。すなわち、（膨張量）＝（比例定数）×（回転速度）２により求めることが出来る。
【００３４】
前記光ディスク膨張量７５は実測によって求めることも出来る。実測により求める方法の例としては、次の方法が挙げられる。レーザーヘッド２０３にＢＣＡコードリーダを設け、先ず光ディスクを回転させてＢＣＡコードを記録すると共に位置検出手段２０２により記録した位置を測定する、次に光ディスクを静止または光ディスクが膨張しない程度の低速で回転させ、ＢＣＡコードリーダによって前記記録されたＢＣＡコードを読み込み、位置検出手段２０２によってその位置を測定する。記録した位置と静止時に読み込んだ位置の差が光ディスク膨張量７５となる。
【００３５】
本実施形態においては、膨張量７５を光ディスクの回転速度から随時計算によって求めても良いし、光ディスクの回転速度に応じた膨張量７５を予め計算により、または実測によって求め、回転数と膨張量７５をテーブルに格納し、センサ２０８によって計測した回転速度に応じた膨張量７５を半径方向位置制御手段２２３が前記テーブルから読み出すようにしてもよい。
【００３６】
以上のように構成することにより、光ディスク膨張量７５だけレーザーヘッド２３を径方向外側にずらしてＢＣＡコードを記録するため、光ディスクが静止した場合、ＢＣＡコードを記録する正規の位置である符号７６にＢＣＡコードを記録することが出来る。
【図面の簡単な説明】
【００３７】
【図１】光ディスクに置ける初期化領域とＢＣＡコードを表した図である。
【図２】本発明の実施形態によるＢＣＡコード記録装置の構成を表した図である。
【図３】従来例におけるＢＣＡコード記録方法を表した図である。
【図４】本発明の実施形態によるＢＣＡコード記録方法を表した図である。
【図５】偏重心が存在する光ディスクを高速回転した場合のＢＣＡの偏芯を表した図である。
【図６】光ディスクを回転させた場合の光ディスクの膨張によるＢＣＡの径寸法の誤差を表した図である。
【図７】光ディスクに対するレーザーヘッドの位置関係を従来技術と本実施形態とを対比させた図である。
【符号の説明】
【００３８】
１０：初期化領域、１１：ＢＣＡコード、２０１：スケール、２０２：位置検出手段、２０３：レーザーヘッド、２０４：レーザーヘッド移動手段、２０５：光ディスク、２０６：光ディスク固定部材、２０７：スピンドルモータ、２０８：センサ、２０９：径方向駆動モータ、２２１：制御部、２２２：半径方向位置制御手段、２２３：半径方向位置制御手段、２２４：半径方向位置検出手段、２２５：回転制御手段、７２：回転時の光ディスク、７３：静止時の光ディスク、７４：位置補正前ＢＣＡコード記録位置、７６位置補正後ＢＣＡコード記録位置。
【図１】
2007220169.tif 000003
【図２】
2007220169.tif 000004
【図３】
2007220169.tif 000005
【図４】
2007220169.tif 000006
【図５】
2007220169.tif 000007
【図６】
2007220169.tif 000008
【図７】
2007220169.tif 000009